(57)【要約】  【課題】  地震等により発生するスロッシングを効果的に抑制すると共に、固定屋根式タンクであっても、浮屋根式タンクであっても装着可能な消波部材を備える液体貯蔵タンクを提供することである。【解決手段】  原油や薬品等を貯蔵する液体貯蔵タンクであって、タンクの屋根の下側にガイド部材３を垂下し、該ガイド部材に沿って摺動しながら上下動自在で回転自在な消波部材２を配設すると共に、該消波部材の下側に浮力部材６を配設する構成とした。【選択図】    図１
2005320034.tif 000002
【特許請求の範囲】
【請求項１】
原油や薬品等を貯蔵する液体貯蔵タンクであって、
タンクの屋根の下側にガイド部材を垂下し、該ガイド部材に沿って摺動しながら上下動自在で回転自在な消波部材を配設すると共に、該消波部材が液面付近に位置するように浮力部材を配設したことを特徴とする液体貯蔵タンク。
【請求項２】
前記消波部材が回転羽根を備えた構成であることを特徴とする請求項１に記載の液体貯蔵タンク。
【請求項３】
前記消波部材が円板の下部に回転翼を備えた構成であることを特徴とする請求項１に記載の液体貯蔵タンク。
【請求項４】
前記ガイド部材を前記屋根の中央に配設して、前記消波部材の径をタンク内径の半分程度とすると共に、前記ガイド部材の下部に前記消波部材が上下動する際の下限を規制するストッパーを設ける構成としたことを特徴とする請求項１から３のいずれかに記載の液体貯蔵タンク。
【請求項５】
前記ガイド部材を前記屋根に複数配設して、前記消波部材の径を隣り合う消波部材同士が接触しない程度の径とすると共に、それぞれのガイド部材の下部に前記消波部材が上下動する際の下限を規制するストッパーを設ける構成としたことを特徴とする請求項１から３のいずれかに記載の液体貯蔵タンク。
【請求項６】
前記浮力部材が注排水可能なバラストタンク状の浮力調整部材であって、該タンク内に液体を注入して浮力を調整する構成としていることを特徴とする請求項１から５のいずれかに記載の液体貯蔵タンク。
【請求項７】
前記液体貯蔵タンクが固定屋根式タンクであって、前記ガイド部材がタンクの底板と前記屋根とを連結していることを特徴とする請求項１から６のいずれかに記載の液体貯蔵タンク。
【請求項８】
前記液体貯蔵タンクが浮屋根式タンクであって、前記ガイド部材を筒体とし、該ガイド部材を摺動ガイドするガイド軸体をタンク底板部から上方に向けて配設したことを特徴とする請求項１から６のいずれかに記載の液体貯蔵タンク。
【請求項９】
原油や薬品等を貯蔵する液体貯蔵タンクであって、
タンクの屋根を貫通して底板に至るガイド部材を配設すると共に、該ガイド部材を回転駆動する駆動モータを屋根の上に設置し、屋根の上に突出する前記ガイド部材の突出部と前記駆動モータとを連結部材を介して連結し、
屋根の下側に垂下しているガイド部材の軸方向に設けた凸部に係合する凹部を備える消波部材を、前記ガイド部材の軸方向に摺動自在に、且つ、前記ガイド部材と共に回転可能に前記ガイド部材に装着し、
前記消波部材が液面付近に位置するように浮力部材を備える構成とすると共に、
別に設置する地震波検知手段からの検知信号により前記駆動モータを回転駆動する構成としていることを特徴とする液体貯蔵タンク。
【発明の詳細な説明】
【技術分野】
【０００１】
本発明は、液体貯蔵タンクに係り、特に貯蔵されている液面に生じる揺動を減衰させる消波部材を備える液体貯蔵タンクに関するものである。
【背景技術】
【０００２】
従来、原油や薬品等の液体貯蔵タンクには、円筒形でタンク本体側壁と屋根とが固定された固定屋根式タンクや、屋根がタンク本体側壁に沿って摺接しながら上下する浮屋根式タンクとがある。
【０００３】
特に最近では国家戦略として所定量の原油を予め国内に備蓄しておくことが進められてきており、その分タンク１基の容量も大きくなってきている。
【０００４】
また、我が日本においては地震が多く発生するので、地震発生時にも、破損せず、また液漏れしない構成の貯蔵タンクであることが望ましい。
【０００５】
一般に、通常の液体貯蔵タンクにおいて、地震等によってタンク本体に強い振動が加わると、前記タンクに貯蔵されている液面が揺動してスロッシングと称される波打現象が発生する。また、特に浮屋根式タンクにおいては、タンク本体に加わる振動とスロッシングとが共振すると、浮屋根が大きな振幅で傾斜しながら揺動するようになり、タンク本体に振動が加わらなくなっても、スロッシングが長時間継続することがある。
【０００６】
このため、スロッシングや共振のために、タンクが破損したり、浮屋根が大きく傾いてしまい、タンク本体と隙間を生じて該隙間から液漏れする等の不具合が生じる場合がある。
【０００７】
また、浮屋根式貯蔵タンクにおいて、地震等によりスロッシングが発生しても、浮屋根の揺動を抑制する抵抗板を設ける構成とした浮屋根式貯蔵タンクが既に公開されている。（例えば、特許文献１参照）
【特許文献１】特開平９−１４２５７５号公報（第１−７頁、第１図）
【発明の開示】
【発明が解決しようとする課題】
【０００８】
タンクが大型になればなるほど、地震の際に発生するスロッシングの影響は大きくなるので、大型の液体貯蔵タンクは特に消波装置を設けることが望ましい。
【０００９】
さらに、大型の貯蔵タンクとしては、固定屋根式タンクと浮屋根式タンクとがあり、いずれのタンクにも装着可能な消波装置であることが望ましい。
【００１０】
特に、揮発性が高く引火し易い原油やナフサ等を貯蔵するには、屋根が上下動する浮屋根式タンクが使用されている。該浮屋根式タンクは、貯蔵液量の増減に伴い、液面と一体となって屋根も上下に移動する構造となっており、通常時は屋根が液面と密着して移動する。そのために、スロッシングが発生すると、揺動する液面と共に浮屋根が揺動することになるので、この液面の揺動を抑制して、タンク本体と浮屋根との摺動部からの液漏れを防止することが肝要である。
【００１１】
本発明の目的は、上記問題点を解消するために、地震等により発生するスロッシングを効果的に抑制すると共に、固定屋根式タンクであっても、浮屋根式タンクであっても装着可能な消波部材を備える液体貯蔵タンクを提供することである。
【課題を解決するための手段】
【００１２】
上記の目的を達成するために請求項１に係る発明は、原油や薬品等を貯蔵する液体貯蔵タンクであって、タンクの屋根の下側にガイド部材を垂下し、該ガイド部材に沿って摺動しながら上下動自在で回転自在な消波部材を配設すると共に、該消波部材が液面付近に位置するように浮力部材を配設したことを特徴としている。
【００１３】
上記の構成を有する請求項１に係る発明によれば、回転自在な消波部材を、液面付近の所定の位置に配設することができるので、地震等によりスロッシングが発生しても、液面の揺動の大きさに合わせた回転速度で回転しながらその揺動を抑制することができ、効果的にスロッシングを減衰することができる。
【００１４】
請求項２に係る発明は、前記消波部材が回転羽根を備えた構成であることを特徴としている。
【００１５】
上記の構成を有する請求項２に係る発明によれば、回転羽根を回転自在に配設することで、スロッシング時の液面の揺動を利用して、効果的に前記回転羽根を回転させることができ、スロッシングを減衰することができる。
【００１６】
請求項３に係る発明は、前記消波部材が円板の下部に回転翼を備えた構成であることを特徴としている。
【００１７】
上記の構成を有する請求項３に係る発明によれば、回転によるスロッシングの減衰に加えて、円板の抵抗によってもスロッシングを減衰することができる。
【００１８】
請求項４に係る発明は、前記ガイド部材を前記屋根の中央に配設して、前記消波部材の径をタンク内径の半分程度とすると共に、前記ガイド部材の下部に前記消波部材が上下動する際の下限を規制するストッパーを設ける構成としたことを特徴としている。
【００１９】
上記の構成を有する請求項４に係る発明によれば、一個の消波部材を装着して、貯蔵される液体が満杯時でも、殆ど空の状態でも、効果的にスロッシングを減衰することができる。
【００２０】
請求項５に係る発明は、前記ガイド部材を前記屋根に複数配設して、前記消波部材の径を隣り合う消波部材同士が接触しない程度の径とすると共に、それぞれのガイド部材の下部に前記消波部材が上下動する際の下限を規制するストッパーを設ける構成としたことを特徴としている。
【００２１】
上記の構成を有する請求項５に係る発明によれば、小型の消波部材を複数配設して、タンク内の全ての場所におけるスロッシングを効果的に減衰することができる。
【００２２】
請求項６に係る発明は、前記浮力部材が注排水可能なバラストタンク状の浮力調整部材であって、該タンク内に液体を注入して浮力を調整する構成としていることを特徴としている。
【００２３】
上記の構成を有する請求項６に係る発明によれば、液面の位置に対する消波部材の配設位置を最も効果的な位置に設定することができる。
【００２４】
請求項７に係る発明は、前記液体貯蔵タンクが固定屋根式タンクであって、前記ガイド部材がタンクの底板と前記屋根とを連結していることを特徴としている。
【００２５】
上記の構成を有する請求項７に係る発明によれば、大型の固定屋根式タンクであっても、底板と屋根とをガイド部材で連結することで、タンク全体を補強すると共に、効果的にスロッシングを抑制する消波部材を備える液体貯蔵タンクとすることができる。
【００２６】
請求項８に係る発明は、前記液体貯蔵タンクが浮屋根式タンクであって、前記ガイド部材を筒体とし、該ガイド部材を摺動ガイドするガイド軸体をタンク底板部から上方に向けて配設したことを特徴としている。
【００２７】
上記の構成を有する請求項８に係る発明によれば、大型の浮屋根式タンクであっても、浮屋根と底板とを摺動ガイド体で連結することで、浮屋根の揺動を防止すると共に、前記浮屋根の高さに拘らずに、消波部材の配設位置を最適な位置とすることができる。
【００２８】
請求項９に係る発明は、原油や薬品等を貯蔵する液体貯蔵タンクであって、タンクの屋根を貫通して底板に至るガイド部材を配設すると共に、該ガイド部材を回転駆動する駆動モータを屋根の上に設置し、屋根の上に突出する前記ガイド部材の突出部と前記駆動モータとを連結部材を介して連結し、屋根の下側に垂下しているガイド部材の軸方向に設けた凸部に係合する凹部を備える消波部材を、前記ガイド部材の軸方向に摺動自在に、且つ、前記ガイド部材と共に回転可能に前記ガイド部材に装着し、前記消波部材が液面付近に位置するように浮力部材を備える構成とすると共に、別に設置する地震波検知手段からの検知信号により前記駆動モータを回転駆動する構成としていることを特徴としている。
【００２９】
上記の構成を有する請求項９に係る発明によれば、近い将来に地震が到来しスロッシングが生じることを検知して、スロッシングが生じる前から消波部材を駆動させて、スロッシングの発生と成長を抑制することができる。
【発明の効果】
【００３０】
本発明によれば、固定屋根式タンクであっても、浮屋根式タンクであっても、地震等により発生するスロッシングを効果的に抑制する消波部材を備える液体貯蔵タンクを得ることができる。
【発明を実施するための最良の形態】
【００３１】
地震等により発生するスロッシングを効果的に抑制すると共に、固定屋根式タンクであっても、浮屋根式タンクであっても装着可能な消波部材を備える液体貯蔵タンクを得るという目的を、タンクの屋根の下側にガイド部材を垂下し、該ガイド部材に沿って摺動しながら上下動自在であると共に回転自在な消波部材を配設することで実現した。
【実施例】
【００３２】
以下、本発明に係る液体貯蔵タンクの実施例について、図１から図６に基づいて説明する。
【００３３】
図１（ａ）には液体貯蔵タンクの一例として固定屋根式タンク１Ａの断面図を示しており、前記タンク１Ａ内部に消波部材２をガイド部材３を介して上下方向に移動自在な構成とした例である。また、図１（ｂ）には前記消波部材の第一例の平面図を示し、図１（ｃ）には第二例の消波部材の平面図を示している。
【００３４】
固定屋根式タンク１Ａは例えば原油５を貯蔵する大型の円筒型タンクであって、地上に固設される底板１０と円筒型側壁１１と該側壁１１に固定される屋根１２とから構成されている。
【００３５】
そして、前記タンク１Ａの略中央部に、屋根１２と底板１０とを連結するガイド部材３を配設し、該ガイド部材３の外周に沿って上下に摺動して移動自在な消波部材２を装着した。
【００３６】
前記消波部材２は例えば図１（ｂ）に示すように、複数（例えば図に示す３枚）の回転羽根２０とボス部２１とを備えていると共に、前記ボス部２１に形成される孔部２１ａにブッシュまたはベアリング等の回転補助具２１Ａを装着していて、前記ガイド部材３に沿って摺動自在に構成されている。
【００３７】
前記ガイド部材３は高剛性の棒体もしくはパイプ等でよく、貯蔵する液体により腐蝕や劣化しない材質、例えばステンレス製が好ましい。
【００３８】
また、回転羽根２０やボス部２１の材質も、貯蔵する液体により腐蝕も劣化もしない材質であればよく、硬質樹脂製品でも金属製でもよい。ただし、地震等により前記タンク１Ａが揺さぶられて液面が揺動する（スロッシングという）際に、その揺動を抑制する消波効果を発揮するためには、液面付近に前記回転羽根２０が位置しておくことが望ましく、消波部材２の下側に浮力部材６を装着することが好ましい。
【００３９】
また、前記浮力部材６はボス部２１の下部に装着すると、回転羽根２０を液面付近に容易に位置させることができ好適である。
【００４０】
前記浮力部材を注排水可能なバラストタンク状とすると、適当な浮力となるように液体を注入して浮力を調整することができ好適である。また、貯蔵する液体が原油だけに限定されている場合等には、バラストタンク状でなく、比重の明らかな軽量な材質、例えば発泡スチロールのようなもので構成してもよい。ただし、貯蔵する液体の種類が変わる場合には、貯蔵する液体の比重により浮力を調整可能なバラストタンク状のものが好ましい。
【００４１】
また、バラストタンク状の調整可能な浮力部材であれば、比重の不確かな液体を貯蔵する場合でも、前記回転羽根２０の浮く位置を目視して確認しながら注排水することができるので、前記回転羽根２０を所定の位置に設置することが容易となり好適である。
【００４２】
回転羽根２０に代えて、図１（ｃ）に示すような細身の回転翼２０Ａを複数備える構成の消波部材２Ａとすることも可能であり、貯蔵される液体の比重やタンクの大きさ等により変更することができる。
【００４３】
液面が揺動する所謂スロッシングが発生すると、その波により回転羽根２０が回転するので、揺動する波の力が回転動力に消費され、揺動の繰り返しによる揺れの増幅を防止することができ、結果として前記揺動を抑制する効果を発揮する。すなわち、回転羽根２０を備える消波部材２は消波効果を有する構成である。
【００４４】
また、前記スロッシングの程度が大きい場合には、回転羽根２０の回転数が増加して消波効果を増大させる構成としているので、回転自在な回転羽根２０を備える所定の大きさの消波部材２を配設することで、種々の液体貯蔵タンク１Ａに有効な消波部材２とすることができる。
【００４５】
前記消波部材２の径Ｄ２は、扇風機の羽根に似た大きな面積の回転羽根２０であれば、固定屋根式タンク１Ａの内径Ｄ１の半分程度でもよく、スロッシングが生じても、液面に生じる揺動を十分抑制することができ、消波効果を発揮することができる。
【００４６】
また、比較的小面積の回転翼２０Ａの場合には、もう少し大きな径の回転翼がよい。
【００４７】
スロッシングを抑制するには、回転羽根２０や回転翼２０Ａが液面付近にあることが望ましく、そのために、浮力部材６を配設しているが、液量が減ってくると、スロッシングによる悪影響も減少するので、前記回転羽根２０や回転翼２０Ａの位置に下限を設定しておくことができる。そのために、本実施例においては、ガイド部材３の下端部にストッパー４を配設して、消波部材２がそれ以上下降しない構成としている。
【００４８】
また、固定屋根式タンク１Ａの高さＨ１は一定であるが、貯蔵されている液面高さＨ２は一定ではなく、取り出される液量に応じて変動するものであり、液量が減少すると前記液面高さＨ２が減少し上部空間Ｈ３が増加する。
【００４９】
液面高さＨ２が変動しても、回転羽根２０を備える消波部材２は浮力部材６を介して、浮力の釣り合う位置に自動調整する構成であり、液面の変動に追随して移動することで、前記回転羽根２０が常に液面付近に位置する構成としている。
【００５０】
液体貯蔵タンクには屋根が側壁に固定されていない浮屋根式のタンクもあり、特に、揮発性が高く引火し易い原油やナフサ等を貯蔵するには、増減する液量に応じて屋根が上下動する浮屋根式タンクが使用されている。前記浮屋根式タンクの一例を図２に示す。
【００５１】
図２（ａ）には浮屋根式タンク１Ｂの断面図を示し、図２（ｂ）にはガイド部材３Ａとガイド軸体３０との摺動部の拡大断面図を示している。
【００５２】
該浮屋根式タンク１Ｂは、貯蔵液量の増減に伴い、液面と一体となって屋根も上下に移動する構造となっており、浮屋根１３の外周側部にシール部材１５を装着し、側壁１１との隙間を密封して液漏れを防止すると共に、浮屋根１３が側壁１１に対して摺動可能な構成としている。
【００５３】
１６はカバーシートであって、例えばウレタンゴムからなるシール部材１５を圧縮した状態で包むと共に、浮屋根１３に取り付ける補強布入りゴムシートである。また、前記浮屋根１３の上面外周には、周方向に分割されたフラップ状のウエザーシールド１４が装着されていて、前記浮屋根１３を摺動自在に支持すると共に、雨水等が側壁１１の内壁面を伝わって流れ込むのを防止している。
【００５４】
浮屋根１３は上記のような構成となっているので、通常時は屋根が浮いた状態で、液面と密着して上下に移動する。そのために、スロッシングが発生すると、揺動する液面と共に浮屋根１３が揺動することになるので、この液面の揺動を抑制して、タンク本体と浮屋根１３との摺動部となるシール部材１５からの液漏れを防止することが肝要である。
【００５５】
そのために、本実施例においては、浮屋根１３の下側にガイド部材３Ａを垂下させて固着し、該ガイド部材３Ａに沿って上下に摺動自在な消波部材２を装着した。該消波部材２は図１で説明した消波部材２と同一であり、ここでは詳述しない。
【００５６】
消波部材２は液体中に浮いた状態であるが、その位置を調整するための浮力部材６を装着することも同じであり、さらに、前記消波部材２の下限位置を規制するストッパー４を設けることも同じである。また、浮屋根１３の下部に前記消波部材２の上限を規制するストッパー４Ａを設けてもよい。
【００５７】
前記ガイド部材３Ａをパイプ状とし、底板１０に固着され上向きに突設されたガイド軸体３０に嵌合する構成としている。そのために、浮屋根１３は貯蔵される液面の移動と共に上下動するが、その上下の移動は、ガイド軸体３０とガイド部材３Ａによりガイドされながら行うことになるので、液面が揺動しても、浮屋根１３が傾動せず、前記シール部材１５から液漏れすることもない。さらに、回転羽根を備える消波部材２を装着しているので、液面揺動の繰り返しによる揺れの増幅を防止することができ、結果として前記揺動を抑制する効果を発揮する。
【００５８】
図２（ｂ）に示すように、ガイド軸体３０はその先端部３０ａが細く尖った形状とされていて、パイプ状のガイド部材３Ａが嵌合し易い形状となっている。また、前記ガイド部材３Ａの内部にブッシュあるいはベアリング等の回転補助具３１を装着し、ガイド部材３Ａが、ガイド軸体３０に沿って容易に摺動する構成としている。
【００５９】
消波部材２として、回転羽根２０や回転翼２０Ａ以外にも、図３に示す円板２２を備える消波部材２Ｂを使用することもできる。図３（ａ）には側面断面図を示し、図３（ｂ）には平面図を示している。
【００６０】
前記消波部材２Ｂは、ボス部２１を備える円板２２に回転翼２３を複数配設した形状であって、回転による液面揺動（スロッシング）の抑制に加えて、円板の抵抗によってもスロッシングの抑制を図ることができる。
【００６１】
前記ボス部２１には、同様に回転補助具２１Ａを備える孔部２１ａが設けられており、該孔部２１ａを介して、前記消波部材２Ｂも前記ガイド部材３に沿って摺動自在に構成されている。このことは、前に説明した回転羽根２０や回転翼２０Ａを備える消波部材２と同じでありここでは詳述しない。
【００６２】
前記回転翼２３は、単に平板状であってもよく、カーブした案内翼でも、さらに渦巻き状であってもよく、特に限定するものではない。
【００６３】
また、図４（ａ）に示すように、多段式の回転羽根２０や回転翼２０Ａを備える形状の消波部材２Ｃとすることも、図４（ｂ）に示すように螺旋状のスクリュー２０Ｃを備える形状の消波部材２Ｄとすることも、図４（ｃ）に示すように回転羽根を螺旋状に配設した形状の消波部材２Ｅとすることも可能である。
【００６４】
上記のように、多段式あるいは螺旋状の消波部材とすると、波を受ける深さ方向の面積が大きくなり、消波効果が増大する。また、進行する波の方向を偏向することで、消波効果をさらに増加させることができる。
【００６５】
上記の図２から図４にて説明した消波部材１台をタンク内に配設する際には、前記消波部材の径は図１に示すＤ２程度でよく、タンクの内径Ｄ１の略半分程度であればよい。
【００６６】
さらには、図５に示すように、液体貯蔵タンク１に小型の消波部材２Ｆを複数配設する構成とすることもできる。図５（ａ）は前記液体貯蔵タンク１の側部断面図であり、図５（ｂ）は平面断面図である。
【００６７】
前記消波部材２Ｆの１台１台は、これまで説明してきた他の消波部材と同様に、それぞれのガイド部材３に沿って摺動自在であり、該ガイド部材３の下部にはストッパー４がそれぞれ配設されている。また、必要に応じて浮力部材６を配設することも同じである。
【００６８】
ただし、その径Ｄ３は小さく、複数の消波部材２Ｅを内径Ｄ１のタンク内に配設した際に、隣り合う消波部材２Ｆ同士が接触しない程度の大きさとなっている。
【００６９】
また、その配設する数量は図に示す４台に限定されず、３台でも５台でもよく、タンクの側壁１１や隣り合う消波部材に接触しない程度の数量とすればよい。
【００７０】
この構成であれば、比較的小型の消波部材を複数配設することで、その設置位置において、タンク内の液面の揺動に応じてそれぞれがその揺動を抑制するように働くので、タンク内のあらゆる部分を細かく消波することができ、揺動の繰り返しによる揺れの増幅をさらに細かく防止することができる。結果として地震等の振動による液面の揺動を抑制して、タンクから液体が漏出したり、タンクが破損することを防止することができる。
【００７１】
以上説明してきたのは、いずれもスロッシングにより従動回転する消波部材についてであるが、最近では、地震波を検知することで、実際の地震が発生する前に、地震が到達することを検知することができるようになっている。
【００７２】
そのために、図６（ａ）に示すように、ガイド部材３Ｂを屋根１２Ａを貫通させて、回転補助具１２Ａａを介して回転自在に支持すると共に、前記屋根１２Ａ上に突出した突出部３Ｂａを駆動モータＭにより回転駆動する構成としている。屋根１２Ａに設置される前記駆動モータＭは、連結部材Ｔを介して前記突出部３Ｂａと連結されており、別に設置する地震波検知手段からの信号により、前記駆動モータＭを駆動して、ガイド部材３Ｂに装着されている消波部材２Ｇを回転させる構成とすることもできる。
【００７３】
この構成であれば、地震の際に生じる地震波を予め検知し、貯蔵タンク基地に地震が発生すると判断した場合に、自動的に前記消波部材２Ｇを回転させることができる。そのために、近い将来にスロッシングが生じることを検知して、スロッシングが生じる前から消波部材を駆動させて、スロッシングの発生と成長を抑制することができる。
【００７４】
屋根１２Ａに設置する駆動モータＭと、屋根１２Ａから垂下しているガイド部材３Ｂとを連結し駆動伝達する前記連結部材Ｔとしては、ウォームとウォームホイールによる伝達部材であってもよいし、また、傘歯車による伝達部材であってもよく、駆動モータＭの回転によりガイド部材３Ｂを回転駆動する構成であればよい。
【００７５】
地震が生じることを予め検知して消波部材２Ｇを積極回転させる際には、駆動電力を貯蔵タンク基地の敷地内にて発電可能にしておく方がよく、貯蔵タンク基地に設ける発電装置１７から電力を供給する構成とすると共に、前記発電装置１７と前記駆動モータＭとの送電経路間に地震波検知手段１８を配設して、該地震波検知手段１８が地震波を検知した時に、駆動モータＭへの送電を行う構成とすればよい。
【００７６】
前記消波部材２Ｇは、これまで説明してきた他の消波部材と同様に、屋根１２Ａから底板１０に至るガイド部材３Ｂに沿って摺動自在であり、該ガイド部材３Ｂの下部にはストッパー４がそれぞれ配設されている。また、必要に応じて浮力部材６を配設して回転羽根が常に液面付近に位置する構成とすることも同じである。
【００７７】
図６（ｂ）に回転羽根２０を備える消波部材２Ｇの平面図を示している。積極回転可能なガイド部材３Ｂと共に前記消波部材２Ｇを回転させるには、例えば、前記ガイド部材３Ｂの外周面に軸線に沿った凸部３Ｂｂを設けて、該突部に係合する凹部２Ｇａを前記消波部材２Ｇに設ければよい。また、前記凸部３Ｂｂは、前記ガイド部材３Ｂの外周面に複数ライン設けてもよい。また、軸に平行は凸部でなく、軸表面に沿って緩やかに傾斜する螺旋状の凸部であってもよく、前記凸部３Ｂｂに係合する凹部２Ｇａを備える消波部材２Ｇがガイド部材３Ｂの軸線に沿って摺動自在な構成とすればよい。
【００７８】
上記のような構成であれば、ガイド部材３Ｂが前記駆動モータＭにより駆動されて回転すると、前記消波部材２Ｇも供に回転し回転羽根が回転することになり、地震波が到達して発生するスロッシングを前もって抑制することができる。また、前記回転羽根の形状は、前記消波部材２Ｇが回転した際に貯蔵液体を下側に押出すような羽根形状とすれば、消波効果が増加しより好ましい。
【００７９】
上記したように、本発明によれば、地震等により発生するスロッシングを効果的に抑制すると共に、固定屋根式タンクであっても、浮屋根式タンクであっても装着可能な消波部材を備える液体貯蔵タンクとすることができる。
【図面の簡単な説明】
【００８０】
【図１】本発明に係る液体貯蔵タンクの一例を示しており、（ａ）は固定屋根式の液体貯蔵タンク１Ａの断面図であり、（ｂ）は前記消波部材の第一例の平面図であり、（ｃ）には第二例の消波部材の平面図を示している。
【図２】浮屋根式タンクの一例を示しており、（ａ）にはタンク全体の断面図を示し、（ｂ）にはガイド部材３Ａとガイド軸体３０との摺動部の拡大断面図を示している。
【図３】消波部材の第三の例を示しており、（ａ）には側面断面図を示し、（ｂ）には平面図を示している。
【図４】消波部材の別の例を示しており、（ａ）は多段式の消波部材の側面図であって、（ｂ）は螺旋状のスクリューを備える消波部材の側面図であり、（ｃ）は回転羽根を螺旋状に配設した消波部材の斜視図である。
【図５】小型の消波部材を複数配設した液体貯蔵タンクを示し、（ａ）はタンク全体の側部断面図であり、（ｂ）はタンクの平面断面図である。
【図６】積極駆動される消波部材を備える液体貯蔵タンクの一例を示し、（ａ）はタンク全体の側部断面図であり、（ｂ）は前記消波部材の平面図である。
【符号の説明】
【００８１】
１  液体貯蔵タンク
１Ａ  固定屋根式タンク
１Ｂ  浮屋根式タンク
２  消波部材
２Ｇａ  凹部
３  ガイド部材
３Ｂｂ  凸部
４  ストッパー
５  原油
６  浮力部材
１０  底板
１１  側壁
１２  屋根
１３  浮屋根
２０  回転羽根
２１  ボス体
３０  ガイド軸体
Ｄ１  タンク内径
Ｄ２  消波部材の径
【図１】
2005320034.tif 000003
【図２】
2005320034.tif 000004
【図３】
2005320034.tif 000005
【図４】
2005320034.tif 000006
【図５】
2005320034.tif 000007
【図６】
2005320034.tif 000008